(57)【要約】【課題および解決手段】固定部材は、弾性材料からなり、第１ばね手段（５）によって相互連結された第１部分（３）および第２部分（４）とを有する。前記第１部分（３）は、フレーム（２）と係合するための第１留め金手段（８）をもち、前記フレーム（２）には、前記第１部分（３）が前記第２部分（４）に向かって押圧され、さらに、前記第１ばね手段（５）が前記第２部分（４）を前記フレーム（２）に対して押圧した後に、固定部材が固定されるべきである。前記第１部分（３）は、第１部分（３）を前記第１ばね手段（５）の増加する力に対抗して前記第２部分（４）の方にさらに押し込むと、前記第２部分（４）の対応する留め金手段（１１）と係合するための第２留め金手段（１０）をさらに有し、それによって、前記第１留め金手段（８）が引っ込み、従って、前記フレーム（２）との係合から解放される。
2006508860.tif 000002
【特許請求の範囲】
【請求項１】
第１ばね手段によって相互連結された第１部分と第２部分を有する弾性材料からなる固定部材であって、前記第１部分は、フレームと係合するための第１留め金手段をもち、前記フレームには、前記第１部分が前記第２部分に向かって押圧され、さらに、前記第１ばね手段が前記第２部分を前記フレームに対して押圧した後に、固定部材が固定されるべきであり、また、前記第１部分は、それを前記第１ばね手段の増加する力に対抗して前記第２部分の方にさらに押し込むと、前記第２部分の対応する留め金手段と係合するための第２留め金手段をさらに有し、それによって、前記第１留め金手段が引っ込み、従って、前記フレームとの係合から解放される固定部材。
【請求項２】
固定部材は、一片の弾性材料からなることを特徴とする請求項１記載の固定部材。
【請求項３】
固定部材は、弾性金属部分を有するプラスチック材料からなることを特徴とする請求項１または２記載の固定部材。
【請求項４】
前記第２部分に、フレームに衝合するための第２ばね手段を設け、それによって、第２部分をフレームから離隔する方向に押圧することを特徴とする請求項１、２または３記載の固定部材。
【請求項５】
前記第１部分に、それが第２部分に対し移動できるところの方向に対して実質的に直交する実質的なフラットボタン表面を設け、このボタン表面は指で触れることができることを特徴とする請求項１〜４のいずれか１項記載の固定部材。
【請求項６】
前記弾性材料は、平行な２つの面間で実質的に延び、それによって、固定部材の表面の実質的な部分が前記２つの面と一致することを特徴とする請求項１〜５のいずれか１項記載の固定部材。
【請求項７】
前記第１ばね手段は、少なくとも２個のばね素子を有し、それによって、各ばね素子の、一端部が固定部材の第１部分に弾性的に連結され、他の端部が固定部材の第２部分に弾性的に連結されることを特徴とする請求項１〜６のいずれか１項記載の固定部材。
【請求項８】
各弾性素子は前記２つの端部の弾性動作を互いに対して容易にするため、これら端部間に細い部分を有することを特徴とする請求項７記載の固定部材。
【請求項９】
前記第１留め金手段は、前記第１部分から外方に延びる少なくとも一の弾性的に蝶番式の留め金素子を有し、かつ、固定部材の前記第２部分は、前記第１および第２部分が、第２留め金手段が係合するところの位置に、互いに向かってさらに押し込むとき、前記留め金素子を接触させかつそれを内方に押圧するための案内表面を有することを特徴とする請求項１〜８のいずれか１項記載の固定部材。
【請求項１０】
前記第２留め金手段は、固定部材の第１および第２部分の一方に連結される弾性的に蝶番式の留め金素子を有し、前記対応する留め金手段は、固定部材の他の部分に連結される実質的に固定される留め金素子を有することを特徴とする請求項１〜９のいずれか１項記載の固定部材。
【請求項１１】
前記蝶番式留め金素子は、第２係合手段を解放するため、手で触ることができる突起部を有する請求項１０記載の固定部材。
【請求項１２】
請求項１〜１１のいずれかに記載の固定部材を設けた自動車用ランプ。
【請求項１３】
固定部材に取り付けられる物体をフレームに固定するための方法であって、固定部材が弾性材料からなり、第１ばね手段によって相互連結された第１および第２部分を有し、それによって、前記第１部分が前記第２部分に向かって押圧され、さらに、前記第１ばね手段が前記第２部分を前記フレームに対して押圧した後に、前記第１部分が第１留め金手段によってフレームに連結され、また、前記第１部分を前記第１ばね手段の増加力に対抗して前記第２部分の方にさらに押し込むことによって物体がフレームから解放され、それによって、前記第１部分の第２留め金手段が前記第２部分の対応する留め金手段と係合し、それによって、前記第１留め金手段が引っ込み、従って、前記フレームとの係合から解放される、固定部材に取り付けられる物体をフレームに固定するための方法。
【発明の詳細な説明】
【技術分野】
【０００１】
この発明は弾性材料からなる固定部材に関する。
【背景技術】
【０００２】
そのような固定部材は、物体のフレームへの装着、特に、リフレクタ・ハウジング内における自動車用ランプの装着に使用することができる。しかし、固定部材は、いずれかの他の目的のために使用することもでき、それによって、物体は所定の位置に容易に装着されなければならない。
【０００３】
固定部材は、一の物体を他の物体に固定することができる。以下、他の物体をフレームとして示しているが、それは、一の物体が装着されうるいかなる装置であってもよいと理解されるべきである。
【０００４】
装着されるべき物体は、いずれかの手段により、例えば、接着剤により、あるいは、ねじのような機械的手段により、固定部材に取り付けられることができる。例えば、固定部材は、自動車用ランプのキャップに連結するか、あるいはそのキャップの一部とすることができる。これによって、固定部材は、ランプを正しい位置に保持し、かつ、ランプの電気接点素子を、ランプが装着されるべきリフレクタ・ハウジング内の対応する電気接点素子に対して押圧してもよい。
【０００５】
そのような固定部材では、多数の機能を組み込むことができる。その主な機能は、関連する物体が、固定されるフレームから離れる移動をするのを防止することである。他の機能は、物体が正確な所定位置に自動的に装着され、物体が長期間にわたって同じ位置に保持され、そして、物体がフレームから容易に取り外せることを確実にすることであるかもしれない。さらに、固定部材が、道具を使用することなしに操作することが簡単であり、物体が、取り外された後に使用することができ、そして、固定部材が簡単かつ安価で製造することができ、好ましくは安価な材料からなることが重要であるかもしれない。
【０００６】
既知の固定部材、例えば、国際公開第ＷＯ９９／０８３４６号公報に記載の固定部材は、幾つかの別個のパーツからなり、従って、製造するには複雑かつ比較的高価である。
【発明の開示】
【発明が解決しようとする課題】
【０００７】
この発明の目的は、製造コストが安価であり、いくつかの機能および利点を有する、一片からなる固定部材を提供することにある。
【課題を解決するための手段】
【０００８】
上記目的を達成するため、固定部材は、第１ばね手段によって相互連結された第１部分と第２部分を有し、前記第１部分は、フレームと係合するための第１留め金手段をもち、前記フレームには、前記第１部分が前記第２部分に向かって押圧され、さらに、前記第１ばね手段が前記第２部分を前記フレームに対して押圧した後に、固定部材が固定されるべきであり、また、前記第１部分は、それを前記第１ばね手段の増加力に対抗して前記第２部分の方にさらに押し込むと、前記第２部分の対応する留め金手段と係合するための第２留め金手段をさらに有し、それによって、前記第１留め金手段が引っ込み、従って、前記フレームとの係合から解放される。
【０００９】
なぜなら、固定部材は、ばね手段によって相互連結された２つの部分に区分され、第１部分が第２部分の位置とは無関係に位置決めされうるからである。したがって、固定されるべき物体が取り付けられる第２部分は、正確な所定位置に位置決めされ、かつ、その位置にばね手段の力で保持することができ、一方、第１部分の位置は、正確には予め決められないが、留め金手段の機能とフレームとの係合位置に依存する。
【００１０】
固定部材は、ばね手段の弾性特性を増加させるため、異なる材料、例えば、一以上の弾性金属部分が存在するところのプラスチック材料や、例えば、弾性金属ストリップから作製することができる。そのような弾性金属ストリップは、プラスチック材料と一緒に成形することができる。
【００１１】
好ましくは、ばね手段および留め金手段を含む固定部材一式は、一片の弾性材料から作製され、安価なプラスチック材料であってもよい。より良い品質のプラスチック（産業用樹脂(enginieering plastic)）は、固定部材が物体を非常に長時間固定しなければならない場合、あるいは、固定部材を数回再利用す米である場合に使用することができる。ガラスファイバー等は、プラスチック材料を補強することができる。
【００１２】
一の好適な実施形態では、前記第２部分が、前記フレームに衝合するための第２ばね手段を有し、それによって、前記第２部分を前記フレームから離れる方向に押圧する。前記第２ばね手段によって作用する力が、前記第１ばね手段によって作用する力よりも小さい場合、第２部分が第１ばね手段によってその位置に保持され、それをフレームに対して押圧している限りは、第２ばね手段は固定部材の第２部分を移動させないであろう。しかしながら、第１留め金手段が第１部分のさらなる押圧によって引っ込められ、その結果、固定部材がフレームから解放された後は、前記第２ばね手段は固定部材をフレームから離れる方向に押圧する押圧するであろう。それは、物体の取外しを容易にすることができる。
【００１３】
好ましくは、前記第１部分は、それが前記第２部分に対して移動できるところの方向に対し実質的に直交する、実質的にフラットなボタン表面を有し、このボタン表面は、人間の手の指で触ることができる。固定部材の第１部分のボタン表面は、第１ばね手段に張力を加えるため、前記第１部分を前記第２部分に向かって押圧するために使用することができ、結果として、第１留め金手段をフレームに係合する。ボタン表面をさらに押圧することによって、前記第１留め金手段は、引っ込んで、フレームから解放され、その結果、前記第２留め金手段は、固定部材の第２部分の前記対応留め金手段と係合するであろう。したがって、ボタン表面は、固定部材の操作を容易にする。
【００１４】
一の好適な実施形態では、一片の弾性材料が平行な２つの免官で実質的に延び、これによって、固定部材の表面の実質的な部分が前記２つの面と実質的に一致する。２つの面間の距離は、好ましくは３ｍｍと２０ｍｍの間、より好ましくは７ｍｍと１５ｍｍの間である。好ましくは、固定部材の形状は、前記平行な２つの面に対し直交する中心平面に対して対称である。
【００１５】
固定部材が、平行な２つの面間で実質的に延び、その表面がこれらの面と一致しまたはこれらの面に対し直交して延びる場合には、プラスチック材料の固定部材は、挿入物なしに単純なモールドによって容易に成形することができる。
【００１６】
一の好適な実施形態では、前記第１ばね手段は、少なくとも２つのばね素子を有し、それによって、各ばね素子の、一端部が固定部材の前記第１部分に弾性的に連結され、かつ他の端部が固定部材の前記第２部分に弾性的に連結される。好ましくは、前記ばね素子は、前記２つの端部間に細い部分を設けて、前記端部分の互いに対する弾性移動を容易にする。それによって、固定部材の第２部分に対する第１部分の線形動作が、容易に達成されうる。
【００１７】
一の好適な実施形態では、前記第１留め金手段が、前記第１部分から外方に延びる少なくとも１つ、好ましくは２つの弾性的に蝶番式の留め金素子を有し、かつ、固定部材の前記第２部分は、固定部材の２つの部分である第１および第２部分が、互いに向かって、第２留め金手段が係合するところの位置にさらに押圧するとき、前記留め金手段を接触させるため、かつそれらを内方に押圧するための１つ以上の案内表面を有する。それによって、前記第１留め金手段はフレームから解放され、かつ、固定部材の前記第１および第２部分は、前記留め金素子が内方の位置に保持されるところの位置で、互いに固定される。それによって、固定部材は、それを固定するフレームから取り外すことができる。
【００１８】
好ましくは、前記第２留め金手段は、固定部材の前記第１および第２部分の一方に連結される少なくとも１つ、好適には２つの弾性的に蝶番式の留め金素子を有し、前記対応留め金手段は、固定部材の前記第１および第２部分の他方に連結される少なくとも１つ、好ましくは２つの実質的に固定された留め金素子を有する。そのような第２留め金素子は、固定部材の第１および第２部分間で単純かつしっかりとした連結を付与することができる。
【００１９】
一の好適な実施形態では、第２留め金手段の前記少なくとも１つの蝶番式留め金素子に、手で触ることができる突起部を設け、その結果、第２留め金手段を容易に解放することができ、それによって、固定部材は、その弾性のため、初期の位置に戻るであろう。その結果として、固定部材は、同一又は別の物体を、同一又は別のフレームに固定するのに再利用することができる。
【００２０】
さらに、この発明は、固定部材に取り付けられる物体をフレームに固定するための方法に関し、固定部材が弾性材料からなり、第１ばね手段によって相互連結された第１および第２部分を有し、それによって、前記第１部分は、それを前記第２部分に向かって押圧し、さらに、前記第１ばね手段が前記第２部分を前記フレームに対して押圧した後に、第１ばね手段によってフレームに連結され、また、前記第１部分を前記第２部分に向かって前記第１ばね手段の増加する力に対抗してさらに押圧することによって、前記物体がフレームから解放され、これによって、前記第１部分の第２留め金手段は、前記第２部分の対応留め金手段と係合し、それによって、前記第１留め金手段が引っ込む結果、第１留め金手段が前記フレームとの係合から解放される。
【発明を実施するための最良の形態】
【００２１】
この発明は、図面を参照して固定部材の一の実施形態の記載によって、以下でより詳細に説明するであろう。図面は、固定部材の作動原理を示す実施形態の概略図にすぎない。
【００２２】
図１は、固定部材１と、物体が固定されるべきフレーム２の一部を示す。物体は、図１には示していないが、固定部材１に取り付けることができる。固定部材１は、プラスチック材料の単一片からなり、２つのフラットな平行な面間で延在する。固定部材１の表面の実質的な部分は、前記２つの平行な面と一致し、前記表面の残りの部分は、図１の斜視図によって示されているように、前記平行な面に対し直交して延在する。前記２つの平行な面間の距離は、例えば７ｍｍと１５ｍｍの間であり、前記面に平行な方向の固定部材の寸法は、例えば３０ｍｍと７０ｍｍの間である。
【００２３】
図１は、すなわち、プラスチック材料において、いかなるテンションを作用させることなしに製造されるところの形状で、固定部材１を示す。プラスチック材料は弾性があるので、固定部材１のあらゆる変形が、その変形とは反対に作用する弾性力を生じるであろう。
【００２４】
固定部材１は、第１部分３と第２部分４とを有する。これら２つの部分３，４は、２つのばね素子５を有する第１ばね手段によって相互連結される。各ばね素子５は、固定部材１の両部分３，４に弾性的に連結される。そのような弾性連結は、関連する部分３，４とばね素子５の間に、プラスチック材料の細い部分を適用することにより達成される。同様な細い部分は、ばね素子５の２個の端部６，７間に存在し、その結果、これら２個の端部６，７は、弾性ばね部材５を形成するため、互いに対し容易に弾性的に移動することができる。
【００２５】
固定部材１の第１部分３に第１留め金手段８を設け、この第１留め金手段８は、フレーム２の対応する留め金手段９と係合する。前記第１留め金手段は、弾性的に蝶番式に動く２個の留め金素子８を有する。さらに、第１部分３に第２留め金手段１０を設け、この第２留め金手段は、固定部材１の第２部分４の対応する留め金手段１１と係合する。前記第２留め金手段は、実質的に固定される留め金素子１０を有し、前記対応留め金手段は、弾性的に蝶番式に動く２個の留め金素子１１を有する。
【００２６】
固定部材１の第２部分４に、弾性的に蝶番式に動く２個の部分１２を有する第２ばね手段をさらに設ける。
【００２７】
固定部材１とフレーム２の間の協動を説明するため、フレーム２の小さな部分が、前記対応留め金部分を形成する２個の留め金部材９を有するように模式的に示されている。フレーム２の示された部分は、前記第２ばね手段を形成する２個の部分１２と協働するための２つの表面１５と、第２部分の先端部１７が延在できる凹部１６とをさらに有する。
【００２８】
図１は、固定部材１がフレーム２内に移動し、固定部材１の第２部分４が、フレーム２の対応留め金手段の２個の留め金手段９間のスペースを通過するところの位置を示す。それによって、第２部分４の前記先端部１７は、フレーム２の凹部１６を貫通して延びる。固定部材１をフレーム２内に押しこむため、固定部材１の第１部分３にフラットなボタン表面１８を設け、このボタン表面１８は、手の指で容易に触れることができる。
【００２９】
図２〜４は、固定部材１とフレーム２の部分の図であり、それによって、前記２つの平行な面、すなわち、固定部材の表面の平行部分は、図面の面に平行に位置決めされる。これら３つの図である図２〜４は、その後の工程において、固定部材１の機能を示す。
【００３０】
図２は、フレーム２内の固定部材１を、図１に示されているのと同じ位置、すなわち、固定部材１の第２部分４がフレーム２の２つの留め金部材９間のスペースを通過した後の位置を示す。固定部材をフレーム内に固定するための操作は以下の通りである。
【００３１】
第１部分４のボタン表面１８を押すことによって、固定部材１の２つの部分３，４は互いに向かって移動し、これによって、第１ばね手段５にテンションがかかるであろう。なぜなら、第２ばね手段１２のばね力は比較的小さいので、固定部材１の第２部分４は、蝶番式部分１２がフレーム２の表面１５と第２部分との間で押圧されるまで前方に移動し、それによって、固定部材１の第２部分４は、その最終位置にある。第１部分３をさらに前方に押し込むことによって、第１ばね手段５のテンションは増加し、固定部材１の第１留め金手段８は、図３に示されるように、フレーム２の対応留め金手段９と係合するであろう。
【００３２】
固定位置（図３）では、固定部材１の第２部分４は、フレーム２に対して正確な所定位置を有することができる。ボタン表面１８に対し直交する方向では、第２部分４の位置は、フレーム２の２つの表面１５の位置によって決定される。また、ボタン表面１８に対し平行な方向では、第２部分４の位置は、凹部１６の形状および第２部分４の先端部１７の対応する形状によって、また、両形状が一致する方法によって決定される。
【００３３】
固定部材は、ボタン表面１８をさらに押し込むことによって取り外すことができ、その結果、固定部材１の第１部分３は、図４に示すように、第２部分に近接するようになる。それによって、留め金素子８は固定部材１の第２部分４の案内表面１９によって内方に押し込まれるので、留め金素子８は、留め金部材９から解放されるであろう。さらに、第１部分３の第２留め金手段１０は、第２部分４の弾性的に蝶番式の２つの留め金素子１１と係合し、その結果、第１留め金手段８が、図４に示すように、格納位置にあるところの位置で、固定部材１の両部分３，４は一緒に固定される。
【００３４】
図４は、第２ばね手段の蝶番式部分１２がフレーム２の表面と第２部分４の間でさらに押圧されるときのフレーム２内の固定部材１の位置を示す。しかしながら、ボタン表面を解放した後、すなわち、もはやボタン表面に力を作用させないようにした後、第２ばね手段１２は、固定部材１を表面から離すように押圧し、その結果、固定部材１は、手で容易に取り外すことができる。
【００３５】
固定部材１を取り外した後、第２留め金手段１０は、対応する２つの留め金素子１１を互いから離隔するように移動させることによって、対応留め金手段から取り外すことができる。それによって、固定部材１は、図１に示されているように紙の初期形状に復帰するであろう。この取外し後、固定部材１は、フレーム２または別のフレームに対して、同じまたは別の物体を固定するために再使用することができる。
【００３６】
２つの留め金素子１１の移動を容易にするため、２つの留め金素子１１の各々に、手で触ることができる突起部２０を設けることができる。突起２０は、図４に示されるのみであり、図面の面に対し直交して延びている。第１ばね手段のばね作用を変更または改良するため、２つのばね素子５は、プラスチック材料内で成形された金属ストリップを有することができる。２つのばね素子５はまた、１つまたは２つの金属ストリップによって形成してもよく、これによって、前記ストリップの端部は、固定部材１の関連部分３，４に固定される。
【００３７】
図５は、自動車用ランプ２２に取り付けられる固定部材１を示す。ランプ２２の寸法は、フレーム２の凹部１６よりも小さく、その結果、ランプ２２は、凹部を通過することができる。フレーム２は、ランプ２２のリフレクタ・ハウジングの一部であり、このリフレクタ・ハウジングは図５には示されていない。
【００３８】
ランプ２２のキャップ２３は、固定部材１の第２部分４の先端部１７に取り付けられる。電流をランプ２２に供給するための電気接点は示されていないが、そのような接点は、固定部材１内やフレーム２内に存在させてもよく、または、別個の電気連結ユニット内に存在させてもよい。
【００３９】
固定部材１を使用することによって、自動車用ランプ２２は、光の最適な反射を確実にする、リフレクタ・ハウジング内の正確な所定位置に固定することができる。
【００４０】
上記で述べたようなシステムの実施形態は、単に一例を示したにすぎず、多くの他の実施形態を採用することも可能である。
【図面の簡単な説明】
【００４１】
【図１】固定部材と、フレームの一部の斜視図である。
【図２】図１と同じ固定部材とフレームの一部を示す平面図である。
【図３】固定位置にある固定部材を示す平面図である。
【図４】取外し可能位置にある固定部材を示す平面図である。
【図５】固定部材を有する自動車用ランプを示す平面図である。
【図１】
2006508860.tif 000003
【図２】
2006508860.tif 000004
【図３】
2006508860.tif 000005
【図４】
2006508860.tif 000006
【図５】
2006508860.tif 000007
【国際調査報告】
2006508860.tif 000008
2006508860.tif 000009